(57)【要約】      （修正有）【課題】結露を防止し、かつ、装飾品をいれる空気層を設けた着脱式の二重の容器をつくり、その容器を製造する成形も容易で、いざ使ってみて、洗浄も容易で、もちろん使い勝手の良い容器を提供する。【解決手段】アイスコーヒーなどの飲料物やサラダやスティックシュガー等の内容物を入れたりする本体部と、内容物が液体の場合をも考慮にいれ飲む人の口がその本体部に触れる部分より下を二重にすることにより付加価値を付ける底辺部とで構成し、その容器の本体部と底辺部とを着脱式にするために、本体部と底辺部とが接し合う胴部重なり部分でネジ切りを施して結合し、更に、シリコーン等の部材のパッキンを付けて密着させる。【選択図】図１
0003117878.tif 000002
【実用新案登録請求の範囲】
【請求項１】
容器に外気より冷たいものを入れたときに発生する結露を防止する機能としての真空の意味合いも含む空気層、かつ、装飾品を入れるための空間としての空気層を間に設けるために、容器底を含む容器外周を二重にして、光を通す具合の透明さをもつ容器を構成するために、その容器は、アイスコーヒーなどの飲料物やサラダやスティックシュガー等の内容物を入れたりする本体部と、内容物が液体の場合をも考慮にいれ飲む人の口がその本体部に触れる部分より下を二重にすることにより付加価値を付ける底辺部とで構成されることになり、更に、その容器の本体部と底辺部とを着脱式にするために、飲む人の口が本体部に触れる部分より下の部分で、かつ、底辺部が被さって外周が二重になり空気層がつくられる上の部分の、つまりは本体部と底辺部とが接し合う胴部重なり部分で、本体部と底辺部それ自体にそれぞれネジ切りを施して結合し、加えて、本体部のそのネジ切り下に窪み部分を設けてシリコーン等の部材のパッキンを付けて、底辺部にはそのネジ切り下に本体部に付けたパッキンが接する出っ張り部分を設けて密着させて、つくられる空気層内に発生する水分を外に漏らさない程度の密封具合に保つことを特徴とする容器。
【考案の詳細な説明】
【技術分野】
【０００１】  本考案は、光を通す具合に透明さをもつ容器の外周を二重にすることにより付加価値を付ける、グラス、コップなどの飲料用容器や、デカンタ、サラダボウル、鉢や丼などの飲食用容器や、更に、スティックシュガーや鉛筆などを入れる小物入れに用いる容器に関する。
【背景技術】
【０００２】  従来、容器の外周を二重にして、それを着脱式にする発想の飲料用容器、飲食用容器、装飾容器はあり、例えば、登録実用新案第３１０９３４３号公報や登録実用新案第３１１４２９０号公報や、その各々の「実用新案技術評価書」で比較された「引用文献等一覧」に掲載された案件などがあるが、これらは容器の外周を二重にして、つくられる空気層内に装飾物を入れる発想のものである。
【考案の開示】
【考案が解決しようとする課題】
【０００３】  しかしながら、つくられるその空気層が容器底部を含まなかったり、着脱式にしてもその空気層に入れる装飾品の入れ替えが不便であったり、その空気層にいれる装飾品を液体にした場合、着脱時にその液体がこぼれるなどの問題点や、容器としての機能が落ちるという問題点があった。そこで容器の機能を損なわずに、更に付加価値を付けて、安らぎの道具としての容器の価値をあげることを目的として、光を通す具合の透明さをもつ容器の容器底を含む容器外周を二重にして、その容器を構成する本体部と底辺部を着脱容易な容器として、二重にすることによりつくられる空気層に水や思い出の涙などの液体も含む使う人の好きなものを入れられる空気層をつくり、その空気層は容器に冷たいものを入れたときに発生する結露の防止効果にも威力を発揮するものとして、その容器を製造する成形も容易で、いざ使ってみて、洗浄も容易で、もちろん使い勝手の良い容器を提供することを課題とする。また、登録実用新案第３１１４２９０号公報における「実用新案登録の請求の範囲」を明確にするという課題もある。
【課題を解決するための手段】
【０００４】  容器は、本体部と底辺部とパッキンの３つの構成にする。容器の本体部と底辺部のそれぞれの形、大きさは、そのふたつが同じものでも、それぞれに異なる形、大きさでも好みのデザインにより選択すればよい。容器に外気より冷たいものを入れたときに発生する結露を防止する機能としての真空の意味合いも含む空気層、かつ、装飾品を入れるための空間としての空気層を間に設けるために、容器底を含む容器外周を二重にして、光を通す具合の透明さをもつ容器を構成するために、アイスコーヒーなどの飲料物やサラダやスティックシュガー等の内容物を入れたりする本体部を、空気層をつくるために設ける底辺部に蓋をする構造の容器であり、結果、本体部と底辺部が二重になり、その間に空気層が生まれ、その空気層に水や思い出の涙などの液体や、砂や炭や、石、花びらなど大きさが納まれば何でも入れることができる。容器の本体部の内容物がアイスコーヒーなどの飲料物の場合を想定して、その容器を使う人の口が本体部に触れる部分より下に底辺部を被せることにより、飲み口が厚くならずに飲みやすい。更に、その容器を本体部と底辺部とを着脱式にするために、その容器でものを飲む場合までを想定すると、飲む人の口が容器の本体部に触れる部分より下の部分で、かつ、底辺部が被さって外周が二重になり空気層がつくられる上の部分の、つまりは本体部と底辺部とが接し合う胴部重なり部分で、本体部と底辺部それ自体にそれぞれネジ切りを施して結合し、加えて、本体部のそのネジ切り下に窪み部分を設けてシリコーン等の部材のパッキンを付けて、底辺部にはそのネジ切り下に本体部に付けたパッキンが接する出っ張り部分を設けて密着させて、つくられる空気層内に発生する水分をも外に漏らさない程度の密封具合に保つ。容器として本体部と底辺部を結合させた時に、本体部と底辺部の外周の境目が底辺部の厚み分だけ本体部より出っ張る形状でも良いし、本体部と底辺部の外周の境目が平らで滑らかな形状でも良い。本体部と底辺部の外周の境目が平らで滑らかな形状の場合、必要によっては、本体部と接する底辺部の上辺部にもシリコーン等の部材のパッキンを付ける。そのシリコーン等の部材のパッキンは、光を通す具合の透明さをもつ部材にすれば、容器との光の調和が取れるし、光を通さない具合の不透明な部材にすれば、容器の色のアクセントとなり、いずれでも好みのデザインでパッキンを選択できる。容器の底辺部を着脱しても、つくられた空気層にいれられた装飾品は例え水や微細な砂でもこぼれる落ちることなく、底辺部内に収まる構造である。容器の本体部のアイスコーヒーなどの飲料物やサラダやスティックシュガー等の内容物と、つくられた空気層に入れた装飾品とを目で見て楽しむために、光を通す具合の透明さをもつ容器にすることが必要であり、そのために、容器の素材は、ガラスや強化ガラス、耐熱ガラス、竹の繊維を入れたガラス、アクリル樹脂などの合成樹脂などにする。あるいは、本体部は不透明で、底辺部のみ光を通す具合の透明さをもつ構成でも、つくられた空気層に入れた装飾品を目で見て充分に楽しめる。
【考案の効果】
【０００５】  容器底を含む容器外周を二重にして、光を通す具合の透明さをもつ容器を構成するために、アイスコーヒーなどの飲料物やサラダやスティックシュガー等の内容物を入れたりする本体部と、内容物が液体の場合をも考慮にいれ飲む人の口がその本体部に触れる部分より下を二重にすることにより付加価値を付ける底辺部とで構成されることにより、二重にしてつくられる空気層は、容器に外気より冷たいものを入れたときに発生する結露を防止して、かつ、装飾品を入れるための空間としてその機能を発揮する。容器の内容物がアイスコーヒーなどの飲料物の場合、飲む人の口に触れる部分は本体部のみの一重なので、つくられる空気層に入れた装飾品が飲む際に口に入ってくるような、流れ込んでくるような違和感を感じなくてすむ。容器底まで広く二重にすることにより、シート状のもの以外に、指輪や砂など大きさが納まれば何でも入り、容器の上からのぞくと万華鏡の趣になり容器を傾けるたびに入れた砂などが動くのが楽しめ、また、容器に冷たい飲料物を入れたときには、結露を防ぐにも飲み終わるまで飲料物が残る容器底が二重なことは都合がいい。それでも若干残るであろう結露を楽しむためにも、つくられる空気層に入れる装飾品は、使う人の好みに合うものが、使う人が結露を楽しめるものが入れられるように、その容器の本体部と底辺部とを着脱式にする。もちろん、その容器に結露が発生しないものを入れて使う場合にも、二重にしてつくられる空気層に入れる装飾品は、使う人の好みで自由に入れ替えができる。つくられる空気層内に水や微細な砂など漏れやすいものを入れる場合でも、容器の本体部と底辺部とが接し合う胴部重なり部分で、本体部と底辺部それ自体にそれぞれネジ切りを施して結合し、加えて、本体部のそのネジ切り下に窪み部分を設けてシリコーン等の部材のパッキンを付けて、底辺部にはそのネジ切り下に本体部に付けたパッキンが接する出っ張り部分を設けて密着させるので、ネジ切り部分にはもちろん、容器の外には、その水分も微細な砂も漏らさない。この胴部重なり部分でのネジ切り式は完全密封になる。シリコーン等の部材のパッキンは、光を通す具合の透明さをもつ部材にすれば、容器との光の調和が取れるし、光を通さない具合の不透明な部材にすれば、容器の色のアクセントとなり、いずれでも好みのデザインでパッキンを選択できる。着脱方法も電球をはめる要領で行え容易であり、着脱するために容器を逆さにする必要もないので、空気層に入れられた装飾品が例え水や微細な砂でもこぼれ落ちることはなく、底辺部内にその装飾品が収まり、装飾品を入れる際にも、逆さにしないので容器を使った時の装飾品の様子がわかった状態で容易に行える。容器の構成は、本体部と底辺部とパッキンだけなので、成形も比較的に容易であり、シンプルで使い勝手も良く、洗浄もスポンジひとつで容易に行える。容器の本体部と底辺部のそれぞれの形、大きさは、そのふたつが同じものでも、その容器を積み上げられる利点があるし、それぞれに異なる形、大きさにすることによっても、デザインの美を追求することができ、グラス、コップなどの飲料用容器や、デカンタ、サラダボウル、鉢や丼などの飲食用容器や、更にスティックシュガーや鉛筆な���を入れる小物入れに用いる容器など用途や好みに応じて様々な形をつくることができる。仮にその容器に蓋をつければ、塩や角砂糖などの食品の保存容器にもなる。容器の素材は、アクリルなら傷つきにくく軽いし、ガラスにすれば音と触感が楽しめるので、好みの素材を選べる。
【考案を実施するための最良の形態】
【０００６】  容器に外気より冷たいものを入れたときに発生する結露を防止する機能としての真空の意味合いも含む空気層、かつ、装飾品を入れるための空間としての空気層を間に設けるために、容器底を含む容器外周を二重にして、光を通す具合の透明さをもつ容器を構成するために、その容器は、アイスコーヒーなどの飲料物やサラダやスティックシュガー等の内容物を入れたりする本体部と、内容物が液体の場合をも考慮にいれ飲む人の口がその本体部に触れる部分より下を二重にすることにより付加価値を付ける底辺部とで構成されることになり、更に、その容器の本体部と底辺部とを着脱式にするために、飲む人の口が本体部に触れる部分より下の部分で、かつ、底辺部が被さって外周が二重になり空気層がつくられる上の部分の、つまりは本体部と底辺部とが接し合う胴部重なり部分で、本体部と底辺部それ自体にそれぞれネジ切りを施して結合し、加えて、本体部のそのネジ切り下に窪み部分を設けてシリコーン等の部材のパッキンを付けて、底辺部にはそのネジ切り下に本体部に付けたパッキンが接する出っ張り部分を設けて密着させて、つくられる空気層内に発生する水分を外に漏らさない程度の密封具合に保つこと。その容器の本体部と底辺部は耐熱ガラスにして、その本体部と底辺部のそれぞれの形、大きさは、そのふたつがそれぞれに異なる形、大きさにしてデザイン性を追及して、更に、その容器の本体部と底辺部の外周の境目が底辺部の厚み分だけ本体部より出っ張る形状ではなく境目が平らで滑らかな形状で、本体部と接する底辺部の上辺部にはシリコーン等の部材のパッキンを付けないで、そのシリコーン等の部材のパッキンは、光を通す具合の透明さをもつ部材にして容器を構成する。
【実施例】
【０００７】  以下、添付図面に従って一実施例を説明する。１は使用時の容器本体であり、２の耐熱ガラス本体部と、３の耐熱ガラス底辺部とが、５のネジ切り式の胴部重なり部分により結合し、更に、６の本体部パッキンを装着する窪み部分につけた、４のシリコーンのパッキンと、７の底辺部パッキンが接する出っ張り部分が密着することにより、耐熱ガラス本体部２と耐熱ガラス底辺部３が二重になり、８の空気層をつくり、その密閉度も高め、９の砂などの装飾品を空気層８に入れる。
【図面の簡単な説明】
【０００８】
【図１】本考案の容器の一例を示す斜視図である。
【図２】同上容器の断面図である。
【図３】同上容器の図２における本体部と底辺部のネジ切り式の胴部重なり部分である。
【図４】同上容器を真上から見た図である。
【符号の説明】
【０００９】１    容器本体
２    耐熱ガラス本体部
３    耐熱ガラス底辺部
４    シリコーンのパッキン
５    ネジ切り式の胴部重なり部分
６    本体部パッキンを装着する窪み部分
７    底辺部パッキンが接する出っ張り部分
８    空気層
９    砂などの装飾品
【図１】
0003117878.tif 000003
【図２】
0003117878.tif 000004
【図３】
0003117878.tif 000005
【図４】
0003117878.tif 000006